(57)【要約】【課題】放熱性を向上させつつ、製造を容易化することが可能な蓄電装置を提供する。【解決手段】蓄電装置１は、それぞれが積層方向に沿って積層された複数のバイポーラ電極を有し、積層方向に沿って配列された１対の蓄電セル７と、１対の蓄電セル７の間に設けられ、蓄電セル７と接触する正極集電板１５と、１対の蓄電セル７の間に設けられ、正極集電板１５と接触する熱交換器１８と、正極集電板１５に接合され、正極集電板１５を介して蓄電セル７と電気的に接続される正極バスバー４と、を備える。【選択図】図４
2019194966.tif 000002
【特許請求の範囲】
【請求項１】
それぞれが第１方向に沿って積層された複数のバイポーラ電極を有し、前記第１方向に沿って配列された第１蓄電セル及び第２蓄電セルと、
前記第１蓄電セルと前記第２蓄電セルとの間に設けられ、前記第１蓄電セルと接触する第１集電板と、
前記第１蓄電セルと前記第２蓄電セルとの間に設けられ、前記第１集電板と接触する熱交換器と、
前記第１集電板に接合され、前記第１集電板を介して前記第１蓄電セルと電気的に接続されるバスバーと、
を備える、蓄電装置。
【請求項２】
前記熱交換器には、冷却媒体を流通させるための貫通孔が設けられている、請求項１に記載の蓄電装置。
【請求項３】
前記第１蓄電セル及び前記第２蓄電セルは、前記第１方向と交差する第２方向が上下方向となるように配置され、
前記第１蓄電セルの第１底面及び前記第２蓄電セルの第２底面は、前記熱交換器の第３底面よりも下方に位置し、
前記貫通孔の一端は、前記第３底面に設けられる、請求項２に記載の蓄電装置。
【請求項４】
前記第１集電板は、前記第１蓄電セルの前記第１方向における第１面に接触する第１本体部と、前記第２方向に沿って前記第１本体部から突出するとともに前記第１方向に沿って延びる第１タブと、を有し、
前記第１タブは、前記第１蓄電セル上に配置される、請求項３に記載の蓄電装置。
【請求項５】
前記第１蓄電セルは、前記複数のバイポーラ電極を保持する保持部材をさらに有し、
前記保持部材は、前記複数のバイポーラ電極を保持するための枠体と、前記熱交換器の前記第２方向における位置を規定するための規定部と、を有し、
前記規定部は、前記枠体の下壁から前記第１方向に沿って延びる、請求項３又は請求項４に記載の蓄電装置。
【請求項６】
前記第１蓄電セル及び前記第２蓄電セルが配置される台座部をさらに備え、
前記第１蓄電セル及び前記第２蓄電セルは、前記第１方向と交差する第２方向が上下方向となるように配置され、
前記貫通孔の一端は、前記熱交換器の底面に設けられ、
前記台座部は、前記第１蓄電セル及び前記第２蓄電セルの下に設けられ、
前記台座部には、前記貫通孔の前記一端に連通する流路が設けられる、請求項２に記載の蓄電装置。
【請求項７】
前記バスバーは、前記第１蓄電セルの第１頂面及び前記第２蓄電セルの第２頂面の上方に設けられ、
前記第１頂面及び前記第２頂面は、前記熱交換器の第３頂面よりも上方に位置し、
前記貫通孔の他端は、前記第３頂面に設けられる、請求項３〜請求項６のいずれか一項に記載の蓄電装置。
【請求項８】
前記第１蓄電セルと前記第２蓄電セルとの間に設けられ、前記第２蓄電セル及び前記熱交換器と接触する第２集電板をさらに備え、
前記バスバーは、前記第２集電板を介して前記第２蓄電セルと電気的に接続される、請求項１〜請求項７のいずれか一項に記載の蓄電装置。
【請求項９】
前記バスバーは、前記第２集電板に接合される、請求項８に記載の蓄電装置。
【請求項１０】
前記熱交換器は、導電性材料により構成され、
前記バスバーは、前記第１集電板、前記熱交換器、及び前記第２集電板を介して前記第２蓄電セルと電気的に接続される、請求項８に記載の蓄電装置。
【請求項１１】
前記第１蓄電セルの前記複数のバイポーラ電極及び前記第２蓄電セルの前記複数のバイポーラ電極を保持する保持部材をさらに備え、
前記熱交換器の前記貫通孔が設けられた面は、前記保持部材から露出している、請求項２〜請求項４及び請求項６のいずれか一項に記載の蓄電装置。
【請求項１２】
前記複数のバイポーラ電極のそれぞれは、集電体と、前記集電体の第１面に設けられた正極層と、前記集電体の第２面に設けられた負極層と、を備え、
前記第１集電板の前記第１方向における長さは、前記集電体の前記第１方向における長さよりも大きい、請求項１〜請求項１１のいずれか一項に記載の蓄電装置。
【請求項１３】
第１方向に沿って積層された複数のバイポーラ電極を有する第３蓄電セルと、
前記第１蓄電セルと前記第３蓄電セルとの間に設けられ、前記第１蓄電セル及び前記第３蓄電セルと接触する第３集電板と、
をさらに備え、
前記第１蓄電セルは、前記第１方向において前記第２蓄電セルと前記第３蓄電セルとの間に配置される、請求項１〜請求項１２のいずれか一項に記載の蓄電装置。
【請求項１４】
前記第１方向に沿って延在し、前記第１蓄電セル及び前記第２蓄電セルに拘束荷重を付加するためのカバー部材をさらに備え、
前記第１集電板は、負極集電板であり、
前記第３集電板は、正極集電板である、請求項１３に記載の蓄電装置。
【発明の詳細な説明】
【技術分野】
【０００１】
本発明は、蓄電装置に関する。
【背景技術】
【０００２】
従来の蓄電装置としては、例えば特許文献１に記載されている組電池が知られている。特許文献１に記載の組電池は、複数のバイポーラ２次電池と、複数の負極集電板と、複数の正極集電板と、を備えている。この組電池では、複数のバイポーラ２次電池、複数の負極集電板、及び複数の正極集電板は、正極集電板、バイポーラ２次電池、負極集電板、及びバイポーラ２次電池の順に積層され、正極集電板及び負極集電板の各々には、貫通孔が形成されている。正極集電板及び負極集電板は、貫通孔に冷却媒体が流れることで、放熱部材として機能する。
【先行技術文献】
【特許文献】
【０００３】
【特許文献１】特開２００７−３０５４２５号公報
【発明の概要】
【発明が解決しようとする課題】
【０００４】
特許文献１に記載の組電池では、蓄電装置の放熱性を向上させることができるものの、集電板に貫通孔を形成することは困難である。このため、蓄電装置の製造の容易化が望まれている。
【０００５】
本発明の一側面の目的は、放熱性を向上させつつ、製造を容易化することが可能な蓄電装置を提供することである。
【課題を解決するための手段】
【０００６】
本発明の一側面に係る蓄電装置は、それぞれが第１方向に沿って積層された複数のバイポーラ電極を有し、第１方向に沿って配列された第１蓄電セル及び第２蓄電セルと、第１蓄電セルと第２蓄電セルとの間に設けられ、第１蓄電セルと接触する第１集電板と、第１蓄電セルと第２蓄電セルとの間に設けられ、第１集電板と接触する熱交換器と、第１集電板に接合され、第１集電板を介して第１蓄電セルと電気的に接続されるバスバーと、を備える。
【０００７】
この蓄電装置では、第１方向に沿って配列された第１蓄電セル及び第２蓄電セルの間に第１集電板と熱交換器とが設けられる。このため、第１蓄電セル及び第２蓄電セルにおいて発生した熱を熱交換器によって蓄電装置の外部に放出することができる。また、熱交換器は第１集電体に形成されていない。その結果、放熱性を向上させつつ、蓄電装置の製造を容易化することが可能となる。
【０００８】
熱交換器には、冷却媒体を流通させるための貫通孔が設けられてもよい。この場合、貫通孔に冷却媒体を流すことで、蓄電装置を効率的に放熱することができる。
【０００９】
第１蓄電セル及び第２蓄電セルは、第１方向と交差する第２方向が上下方向となるように配置されてもよい。第１蓄電セルの第１底面及び第２蓄電セルの第２底面は、熱交換器の第３底面よりも下方に位置してもよい。貫通孔の一端は、第３底面に設けられてもよい。この場合、第１蓄電セルの第１底面及び第２蓄電セルの第２底面は、熱交換器の第３底面よりも下方に位置しているので、熱交換器の下方に空間が形成される。これにより、冷却媒体が貫通孔に流入する空間又は貫通孔から流出する空間を確保することができ、冷却媒体の流れを良好に保つことができる。したがって、蓄電装置の放熱性をさらに向上させることが可能となる。
【００１０】
第１集電板は、第１蓄電セルの第１方向における第１面に接触する第１本体部と、第２方向に沿って第１本体部から突出するとともに第１方向に沿って延びる第１タブと、を有してもよい。第１タブは、第１蓄電セル上に配置されてもよい。この場合、第１タブが第１蓄電セルと第２方向において当接するので、第１集電板の第２方向における位置が規定される。そして、第１集電板に合わせて熱交換器を配置することで、熱交換器の第２方向の位置を規定することができる。
【００１１】
第１蓄電セルは、複数のバイポーラ電極を保持する保持部材をさらに有してもよい。保持部材は、複数のバイポーラ電極を保持するための枠体と、熱交換器の第２方向における位置を規定するための規定部と、を有してもよい。規定部は、枠体の下壁から第１方向に沿って延びてもよい。この場合、規定部によって、熱交換器の第２方向における位置が規定されるので、熱交換器の第２方向における位置合わせを簡易化することができる。
【００１２】
上記蓄電装置は、第１蓄電セル及び第２蓄電セルが配置される台座部をさらに備えてもよい。第１蓄電セル及び第２蓄電セルは、第１方向と交差する第２方向が上下方向となるように配置されてもよい。貫通孔の一端は、熱交換器の底面に設けられてもよい。台座部は、第１蓄電セル及び第２蓄電セルの下に設けられてもよい。台座部には、貫通孔の一端に連通する流路が設けられてもよい。この場合、第１蓄電セル及び第２蓄電セルの下に、流路が形成された台座部が設けられ、貫通孔の一端と流路とが連通する。これにより、冷却媒体が貫通孔に流入する空間又は貫通孔から流出する空間を確保することができ、冷却媒体の流れを良好に保つことができる。したがって、蓄電装置の放熱性をさらに向上させることが可能となる。
【００１３】
バスバーは、第１蓄電セルの第１頂面及び第２蓄電セルの第２頂面の上方に設けられてもよい。第１頂面及び第２頂面は、熱交換器の第３頂面よりも上方に位置してもよい。貫通孔の他端は、第３頂面に設けられてもよい。この場合、第１蓄電セルの第１頂面及び第２蓄電セルの第２頂面は、熱交換器の第３頂面よりも上方に位置しているので、バスバーと熱交換器の第３頂面との間に空間が形成される。これにより、冷却媒体が貫通孔に流入する空間又は貫通孔から流出する空間を確保することができ、冷却媒体の流れを良好に保つことができる。したがって、蓄電装置の放熱性をさらに向上させることが可能となる。
【００１４】
上記蓄電装置は、第１蓄電セルと第２蓄電セルとの間に設けられ、第２蓄電セル及び熱交換器と接触する第２集電板をさらに備えてもよい。バスバーは、第２集電板を介して第２蓄電セルと電気的に接続されてもよい。この場合、バスバーが第２蓄電セルに電気的に接続されるので、バスバーを介して第２蓄電セルと送受電することが可能となる。
【００１５】
バスバーは、第２集電板に接合されてもよい。この場合、第１蓄電セルと第２蓄電セルとがそれぞれ異なる集電板によってバスバーに電気的に接続される。このため、第１蓄電セル及び第２蓄電セルとバスバーとの間の導電経路における抵抗成分を低減することができる。これにより、蓄電装置の電池性能を向上させることが可能となる。
【００１６】
熱交換器は、導電性材料により構成されてもよい。バスバーは、第１集電板、熱交換器、及び第２集電板を介して第２蓄電セルと電気的に接続されてもよい。この場合、第１集電板とバスバーとを接合するだけで第１蓄電セル及び第２蓄電セルとバスバーとを電気的に接続することができるので、接合作業を簡略化することが可能となる。
【００１７】
上記蓄電装置は、第１蓄電セルの複数のバイポーラ電極及び第２蓄電セルの複数のバイポーラ電極を保持する保持部材をさらに備えてもよい。熱交換器の貫通孔が設けられた面は、保持部材から露出していてもよい。この場合、蓄電装置の外部から冷却媒体を容易に供給することが可能となる。
【００１８】
複数のバイポーラ電極のそれぞれは、集電体と、集電体の第１面に設けられた正極層と、集電体の第２面に設けられた負極層と、を備えてもよい。第１集電板の第１方向における長さは、集電体の第１方向における長さよりも大きくてもよい。熱交換器では、第１集電板と接触する面に凹凸形状が生じることがある。このような場合でも、第１集電板の第１方向における長さが集電体の第１方向における長さよりも大きいので、第１集電板の第１蓄電セルと接触する面には、凹凸の影響が表れにくい。このため、第１集電板の第１蓄電セルと接触する面は平坦となり、熱交換器の凹凸形状による第１蓄電セルへの影響を低減することが可能となる。
【００１９】
上記蓄電装置は、第１方向に沿って積層された複数のバイポーラ電極を有する第３蓄電セルと、第１蓄電セルと第３蓄電セルとの間に設けられ、第１蓄電セル及び第３蓄電セルと接触する第３集電板と、をさらに備えてもよい。第１蓄電セルは、第１方向において第２蓄電セルと第３蓄電セルとの間に配置されてもよい。この場合、第１蓄電セルと第３蓄電セルとの間に熱交換器が設けられないので、蓄電装置の積層方向における長さを小さくすることができる。その結果、蓄電装置を小型化することが可能となる。
【００２０】
上記蓄電装置は、第１方向に沿って延在し、第１蓄電セル及び第２蓄電セルに拘束荷重を付加するためのカバー部材をさらに備えてもよい。第１集電板は、負極集電板であってもよく、第３集電板は、正極集電板であってもよい。熱交換器に異物が堆積することがあり、異物がカバー部材と接触するおそれがある。例えば、異物、熱交換器、及びカバー部材がいずれも導電性を有する場合、カバー部材は、異物を介して熱交換器と短絡するので、カバー部材の電位は、熱交換器と接触している第１集電板の電位と略等しくなる。ここで、負極の電位は、正極の電位よりも低いので、熱交換器が負極集電板のみに設けられた場合には、異物を介して熱交換器とカバー部材とが短絡したとしても、カバー部材の電位が高くなることを抑制することができる。その結果、蓄電装置の安全性を高めることが可能となる。
【発明の効果】
【００２１】
本発明によれば、放熱性を向上させつつ、蓄電装置の製造を容易化できる。
【図面の簡単な説明】
【００２２】
【図１】図１は、一実施形態に係る蓄電装置を示す概略斜視図である。
【図２】図２の（ａ）及び図２の（ｂ）は、図１に示された蓄電セルを正極集電板及び負極集電板と共に示す斜視図である。
【図３】図３は、図２の（ａ）に示された蓄電セルの断面図である。
【図４】図４は、図１に示された蓄電装置を部分的に示す平面図である。
【図５】図５は、図１のＶ−Ｖ線断面図である。
【図６】図６は、図１のＶＩ−ＶＩ線断面図である。
【図７】図７は、第１変形例に係る蓄電装置を部分的に示す平面図である。
【図８】図８は、図７のＶＩＩＩ−ＶＩＩＩ線断面図である。
【図９】図９は、図７のＩＸ−ＩＸ線断面図である。
【図１０】図１０は、第２変形例に係る蓄電装置を示す概略斜視図である。
【図１１】図１１は、第３変形例に係る蓄電装置を部分的に示す平面図である。
【図１２】図１２は、図１１のＸＩＩ−ＸＩＩ線断面図である。
【図１３】図１３は、図１１のＸＩＩＩ−ＸＩＩＩ線断面図である。
【発明を実施するための形態】
【００２３】
以下、添付図面を参照しながら本発明の実施形態が詳細に説明される。図面の説明において、同一又は同等の要素には同一符号が用いられ、重複する説明は省略される。図面には必要に応じてＸＹＺ直交座標系が示される。
【００２４】
図１は、一実施形態に係る蓄電装置を示す概略斜視図である。図２の（ａ）及び図２の（ｂ）は、図１に示された蓄電セルを正極集電板及び負極集電板と共に示す斜視図である。図３は、図２の（ａ）に示された蓄電セルの断面図である。図１に示される蓄電装置１は、例えばフォークリフト、ハイブリッド自動車、又は電気自動車等の各種車両のバッテリとして用いられる。蓄電装置１は、セルスタック２と、１対のエンドプレート３と、正極バスバー４と、負極バスバー５と、カバー部材６と、を備えている。
【００２５】
セルスタック２は、複数の蓄電セル７を積層することにより構成されている。セルスタック２は、例えば１００体程度の蓄電セル７の集合体である。以下の説明では、蓄電セル７の積層方向をＸ軸方向（第１方向）とし、蓄電セル７の幅方向をＹ軸方向（第２方向）とし、蓄電セル７の高さ方向をＺ軸方向とする。また、以下の説明では、蓄電セル７の積層方向を単に「積層方向」、蓄電セル７の幅方向を単に「幅方向」、蓄電セル７の高さ方向を単に「高さ方向」と表現する。
【００２６】
蓄電セル７は、扁平な略直方体形状をなす単電池である。蓄電セル７は、例えばニッケル水素二次電池又はリチウムイオン二次電池等の二次電池であってもよく、電気二重層キャパシタであってもよい。蓄電セル７は、全固体電池であってもよい。本実施形態では、蓄電セル７がバイポーラ型のリチウムイオン二次電池である場合を例示する。
【００２７】
蓄電セル７は、図２の（ａ）、図２の（ｂ）及び図３にも示されるように、電極積層体８と、保持部材９と、を有している。電極積層体８は、複数のバイポーラ電極１０がセパレータ１１を介して積層されてなる構造を有している。複数のバイポーラ電極１０は、積層方向に沿って積層されている。バイポーラ電極１０は、集電体１２と、集電体１２の一方の面（第１面）に形成された正極層１３と、集電体１２の他方の面（第２面）に形成された負極層１４と、を有している。
【００２８】
集電体１２は、略矩形状を呈するシート状の導電部材である。集電体１２は、例えば金属箔又は合金箔である。金属箔としては、例えば銅箔、アルミニウム箔、チタン箔又はニッケル箔が挙げられる。集電体１２が金属箔である場合、機械的強度を確保する観点から集電体１２としてアルミニウム箔が用いられてもよい。合金箔としては、例えばステンレス鋼箔又は上記金属の合金箔が挙げられる。集電体１２が合金箔及びアルミニウム箔以外の金属箔である場合、集電体１２の表面にアルミニウムが被覆されていてもよい。
【００２９】
正極層１３は、正極活物質と電解質とを含んでいる。正極活物質は、例えば複合酸化物、金属リチウム又は硫黄等である。複合酸化物の組成には、例えばマンガン、チタン、ニッケル、コバルト及びアルミニウムの少なくとも１つとリチウムとが含まれる。電解質は、例えば固体電解質、固体高分子電解質又はゲル状電解質である。固体電解質は、ジルコニア又はβアルミナを含む。固体高分子電解質は、例えばポリエチレンオキシド（ＰＥＯ）、ポリプロピレンオキシド（ＰＰＯ）等のアルキレンオキシド系高分子化合物、又はこれらの共重合体を含む。ゲル状電解質は、流動性を完全に示さないか、流動性をほぼ完全に示さない電解質である。例えば２０℃におけるゲル状電解質の粘度は、０．１Ｐａ・Ｓ以上である。
【００３０】
正極層１３が固体高分子電解質を含む場合、正極層１３は、例えばイオン伝導性を高めるための支持塩、電子伝導性を高めるための導電助剤、粘度調整溶媒、及び重合開始剤の少なくとも何れかを含む。支持塩は、アルキレンオキシド系高分子化合物に容易に溶解可能な観点から、例えばリチウム塩である。リチウム塩は、例えばＬｉＢＦ４、ＬｉＰＦ６、ＬｉＮ（ＳＯ２ＣＦ３）２、ＬｉＮ（ＳＯ２Ｃ２Ｆ５）２、又はこれらの混合物である。導電助剤は、例えばアセチレンブラック、カーボンブラック、又はグラファイト等である。粘度調整溶媒は、例えばＮ−メチル−２−ピロリドン（ＮＭＰ）等である。重合開始剤は、例えばアゾビスイソブチロニトリル（ＡＩＢＮ）等である。
【００３１】
負極層１４は、負極活物質と電解質とを含んでいる。負極活物質は、例えば黒鉛、高配向性グラファイト、メソカーボンマイクロビーズ、ハードカーボン若しくはソフトカーボン等のカーボン、リチウム若しくはナトリウム等のアルカリ金属、金属化合物、リチウムと合金化可能な元素若しくはその化合物、又はホウ素添加炭素等である。リチウムと合金化可能な元素の例としては、シリコン（ケイ素）及びスズが挙げられる。負極層１４の電解質は、例えば正極層１３に含まれる電解質と同様である。
【００３２】
セパレータ１１は、互いに隣り合う２つのバイポーラ電極１０同士を隔てる層状部材であり、略矩形状を呈している。セパレータ１１は、正極層１３及び負極層１４に含まれる電解質によって構成されている。セパレータ１１は、電解質を充填可能な多孔質膜であってもよい。セパレータ１１が固体電解質によって構成される場合、セパレータ１１は、略矩形の板状を呈していてもよい。
【００３３】
電極積層体８の積層方向の両端には、集電体１２がそれぞれ設けられている。電極積層体８の一端（図３の紙面右側の端）に位置する集電体１２には、正極層１３のみが形成されており、この集電体１２は蓄電セル７の正極端子として機能する。電極積層体８の他端（図３の紙面左側の端）に位置する集電体１２には、負極層１４のみが形成されており、この集電体１２は蓄電セル７の負極端子として機能する。
【００３４】
保持部材９は、電極積層体８（複数のバイポーラ電極１０）を保持する部材である。保持部材９は、電極積層体８の幅方向の両側面、頂面及び底面を囲む矩形枠状を呈している。保持部材９は、例えば絶縁性及び耐熱性を有する樹脂により形成されている。保持部材９を形成する樹脂としては、例えばポリイミド、ポリプロピレン（ＰＰ）、ポリフェニレンサルファイド（ＰＰＳ）、又はナイロン６６（ＰＡ６６）等が挙げられる。保持部材９は、バイポーラ電極１０を封止し、バイポーラ電極１０同士の短絡を防止する機能を合わせ持っている。
【００３５】
保持部材９は、枠体９１と、複数（ここでは、４つ）の突起９２と、を備えている。枠体９１は、電極積層体８を保持するための部分であり、電極積層体８の幅方向の両側面、頂面及び底面を囲んでいる。複数の突起９２は、後述の熱交換器１８の高さ方向における位置を規定するための規定部として機能する。複数の突起９２のそれぞれは、枠体９１の下壁に設けられ、枠体９１の下壁から積層方向に沿って延びている。複数の突起９２は、幅方向に沿って配列されている。
【００３６】
複数の蓄電セル７は、正極集電板１５及び負極集電板１６を介して積層されている。本実施形態では、積層方向に互いに隣り合う１対の蓄電セル７の間には熱交換器１８が設けられる。１対の蓄電セル７間の構造の詳細は後述する。
【００３７】
正極集電板１５及び負極集電板１６は、蓄電セル７の主面と略同形の長方形状を呈する金属板である。蓄電セル７の主面は、電極積層体８の積層方向に交差する１対の面であり、具体的には、電極積層体８の積層方向の両端に位置する集電体１２の外側面である。正極集電板１５及び負極集電板１６は、例えば集電体１２と同じ金属材料で形成されている。正極集電板１５及び負極集電板１６は、蓄電セル７を積層方向に挟むように配置されている。正極集電板１５は、蓄電セル７の正極端子として機能する集電体１２の外側面１２ａに接触している。負極集電板１６は、蓄電セル７の負極端子として機能する集電体１２の外側面１２ｂに接触している。
【００３８】
正極集電板１５は、平面視矩形状の本体部１５ａと、本体部１５ａと一体化された正極タブ１５ｂと、を有している。本体部１５ａは、正極端子として機能する集電体１２の外側面１２ａに接触している。本体部１５ａは、外側面１２ａと略同形であり、積層方向において外側面１２ａと重なっている。本体部１５ａは、高さ方向における両端面（上端面１５ｃ及び下端面１５ｄ）を有する。正極タブ１５ｂは、正極バスバー４と接合される。正極タブ１５ｂは、本体部１５ａ（上端面１５ｃ）から高さ方向に沿って突出するとともに積層方向に沿って延びている。具体的には、正極タブ１５ｂは、幅方向の一方側において電極積層体８に対して高さ方向に突出している。正極タブ１５ｂの先端部は、蓄電セル７に向かって屈曲している。正極タブ１５ｂは、保持部材９の頂面９ａに配置されている。
【００３９】
各正極集電板１５の正極タブ１５ｂの屈曲部分に対して正極バスバー４が溶接等により接合されている（図５参照）。なお、正極タブ１５ｂの幅は、正極集電板１５の幅の半分よりも小さく、各正極集電板１５の正極タブ１５ｂの幅は互いに等しい。
【００４０】
負極集電板１６は、平面視矩形状の本体部１６ａと、本体部１６ａと一体化された負極タブ１６ｂと、を有している。本体部１６ａは、負極端子として機能する集電体１２の外側面１２ｂに接触している。本体部１６ａは、外側面１２ｂと略同形であり、積層方向において外側面１２ｂと重なっている。本体部１６ａは、高さ方向における両端面（上端面１６ｃ及び下端面１６ｄ）を有する。負極タブ１６ｂは、負極バスバー５と接合される。負極タブ１６ｂは、本体部１６ａ（上端面１６ｃ）から高さ方向に沿って突出するとともに積層方向に沿って延びている。具体的には、負極タブ１６ｂは、幅方向の他方側において電極積層体８に対して高さ方向に突出している。負極タブ１６ｂは、正極タブ１５ｂと高さ方向の同じ側に突出している。負極タブ１６ｂの先端部は、蓄電セル７に向かって屈曲している。負極タブ１６ｂは、保持部材９の頂面９ａに配置されている。
【００４１】
１つの蓄電セル７に設けられる正極集電板１５及び負極集電板１６について、正極タブ１５ｂの屈曲方向と、負極タブ１６ｂの屈曲方向とは、互いに逆向きである。各負極集電板１６の負極タブ１６ｂの屈曲部分に対して負極バスバー５が溶接等により接合されている（図６参照）。なお、負極タブ１６ｂの幅は、負極集電板１６の幅の半分よりも小さく、各負極集電板１６の負極タブ１６ｂの幅は互いに等しい。負極タブ１６ｂは、幅方向において正極タブ１５ｂから離間している。
【００４２】
エンドプレート３は、積層方向への蓄電セル７の位置ずれを規制する拘束部材である。エンドプレート３は、セルスタック２における積層方向の両側に配置されている。エンドプレート３は、側面視Ｌ字状を呈している。エンドプレート３は、例えば金属又は合金により形成されている。各エンドプレート３同士は、カバー部材６によって連結され、エンドプレート３を介して積層方向に沿った拘束荷重がセルスタック２に付加される。各エンドプレート３同士は、ボルト及びナット等の締結部材により連結されていてもよい。この場合には、締結部材の締め付け力によって、エンドプレート３を介して積層方向に沿った拘束荷重がセルスタック２に付加される。
【００４３】
セルスタック２における積層方向の両端に位置する蓄電セル７とエンドプレート３との間には、絶縁緩衝部材１７がそれぞれ配置されている。絶縁緩衝部材１７は、蓄電セル７の膨張を吸収する機能を有する部材である。絶縁緩衝部材１７は、例えば積層方向から見て蓄電セル７の主面と同程度の面積を有する直方体形状を呈している。絶縁緩衝部材１７の形成材料としては、例えばＰＰ、ＰＰＳ又はＰＡ６６等が挙げられる。
【００４４】
正極バスバー４及び負極バスバー５のそれぞれは、図１に示されるように、積層方向に沿って延在している。正極バスバー４及び負極バスバー５は、セルスタック２に対して高さ方向の同じ側において幅方向に並んで配置されている。具体的には、正極バスバー４は、セルスタック２の頂面において幅方向の一方側に配置されている。負極バスバー５は、セルスタック２の頂面において幅方向の他方側に正極バスバー４から離間して配置されている。正極バスバー４は、高さ方向において各正極集電板１５（正極タブ１５ｂ）と接合され、各正極集電板１５と電気的に接続されている。つまり、正極バスバー４は、各正極集電板１５を介して各蓄電セル７と電気的に接続されている。負極バスバー５は、高さ方向において各負極集電板１６（負極タブ１６ｂ）と接合され、各負極集電板１６と電気的に接続されている。つまり、負極バスバー５は、各負極集電板１６を介して各蓄電セル７と電気的に接続されている。
【００４５】
正極バスバー４及び負極バスバー５は、例えば矩形の板状を呈している。正極バスバー４及び負極バスバー５の形成材料は、例えば銅、アルミニウム、チタン又はニッケル等の金属であってもよく、ステンレス鋼、或いは前述の金属の合金等であってもよい。
【００４６】
正極バスバー４の長手方向の一端には、セルスタック２を外部装置に接続するための取出端子が接続されてもよい。負極バスバー５の長手方向の一端には、セルスタック２を外部装置に接続するための取出端子が接続されてもよい。
【００４７】
カバー部材６は、高さ方向における蓄電セル７の位置を規定するための部材である。カバー部材６は、積層方向に沿って延在している。カバー部材６は、例えば金属又は合金によって形成されている。カバー部材６は、絶縁材料によって形成されてもよい。カバー部材６は、セルスタック２の頂面において、正極バスバー４及び負極バスバー５から離間した状態で、正極バスバー４と負極バスバー５との間に配置されている。カバー部材６は、積層方向に延在する本体部６ａと、本体部６ａの長手方向の両端部にそれぞれ設けられた１対の爪部６ｂと、を有している。爪部６ｂは、締結部材Ｅによりエンドプレート３の外側面に固定されている。これにより、カバー部材６がセルスタック２に対して係止され、１対のエンドプレート３を介して、積層方向に沿った拘束荷重がセルスタック２に付加される。
【００４８】
次に、図４〜図６を参照して、蓄電装置１の１対の蓄電セル７間の構造を説明する。図４は、図１に示された蓄電装置を部分的に示す平面図である。図５は、図１のＶ−Ｖ線断面図である。図６は、図１のＶＩ−ＶＩ線断面図である。
【００４９】
図４〜図６に示されるように、本実施形態のセルスタック２では、図２の（ａ）に示される正極集電板１５、蓄電セル７、及び負極集電板１６を含むユニットと、図２の（ｂ）に示される負極集電板１６、蓄電セル７、及び正極集電板１５を含むユニットと、が熱交換器１８を介して積層方向に沿って交互に配置されている。つまり、積層方向において、正極端子として機能する集電体１２の外側面１２ａ（第１面）同士が互いに対向している１対の蓄電セル７（第１蓄電セル及び第２蓄電セル）の間には、１対の正極集電板１５（第１集電板及び第２集電板）と、熱交換器１８と、が配置される。１対の正極集電板１５の本体部１５ａ（第１本体部）は、それぞれ隣り合う蓄電セル７（外側面１２ａ）と接触している。１対の正極集電板１５の正極タブ１５ｂ（第１タブ）は、互いに離れる方向に屈曲しており、それぞれ隣り合う蓄電セル７（頂面９ａ）上に配置されている。
【００５０】
積層方向において、負極端子として機能する集電体１２の外側面１２ｂ（第１面）同士が互いに対向している１対の蓄電セル７（第１蓄電セル及び第２蓄電セル）の間には、１対の負極集電板１６（第１集電板及び第２集電板）と、熱交換器１８と、が配置される。１対の負極集電板１６の本体部１６ａ（第１本体部）は、それぞれ隣り合う蓄電セル７（外側面１２ｂ）と接触している。１対の負極集電板１６の負極タブ１６ｂ（第１タブ）は、互いに離れる方向に屈曲しており、それぞれ隣り合う蓄電セル７（頂面９ａ）上に配置されている。つまり、各保持部材９上（保持部材９の頂面９ａ）には、正極タブ１５ｂ及び負極タブ１６ｂが配置されている。
【００５１】
熱交換器１８は、蓄電装置１（蓄電セル７）で発生した熱を蓄電装置１の外部に放出するための部材である。熱交換器１８は、本体部１５ａ及び本体部１６ａと略同形の長方形状を呈する板状部材である。熱交換器１８は、高い熱伝導性を有する材料によって形成されている。熱交換器１８の形成材料としては、例えば銅、又はアルミニウム等の金属が挙げられる。熱交換器１８の形成材料として、導電性を有する材料（導電性材料）が用いられてもよく、絶縁性を有する材料（絶縁性材料）が用いられてもよい。
【００５２】
１対の正極集電板１５の間に設けられた熱交換器１８は、積層方向において１対の本体部１５ａと接触し、１対の本体部１５ａに挟持されている。この熱交換器１８は、積層方向において本体部１５ａと重なっている。１対の負極集電板１６の間に設けられた熱交換器１８は、積層方向において１対の本体部１６ａと接触し、１対の本体部１６ａに挟持されている。この熱交換器１８は、積層方向において本体部１６ａと重なっている。なお、熱交換器１８は、隣り合う集電板（正極集電板１５又は負極集電板１６）とは別体（別部材）である。
【００５３】
熱交換器１８は、頂面１８ａ（第３頂面）と底面１８ｂ（第３底面）とを有する。熱交換器１８には、熱交換器１８を高さ方向に貫通する複数の貫通孔１８ｈが設けられている。つまり、貫通孔１８ｈは、底面１８ｂから頂面１８ａまで延びている。さらに言い換えると、貫通孔１８ｈの一端が底面１８ｂに設けられ、貫通孔１８ｈの他端が頂面１８ａに設けられている。複数の貫通孔１８ｈは、一定の間隔で幅方向に配列されている。貫通孔１８ｈは、冷却媒体を流通させるための孔であり、貫通孔１８ｈには、蓄電装置１の外部から冷却媒体が供給される。冷却媒体は、貫通孔１８ｈの一端から他端に向けて流されてもよく、他端から一端に向けて流されてもよい。貫通孔１８ｈを冷却媒体が流通することによって、蓄電セル７が冷却される。冷却媒体としては、気体の冷却媒体、及び液体の冷却媒体が用いられ得る。気体の冷却媒体の例としては、空気が挙げられる。液体の冷却媒体の例としては、エチレングリコールが挙げられる。
【００５４】
熱交換器１８は、複数の突起９２によって高さ方向において支持されている。複数の突起９２は、底面１８ｂと接触している。頂面１８ａは、熱交換器１８を挟む１対の蓄電セル７（保持部材９）の頂面９ａ（第１頂面及び第２頂面）よりも高さ方向において下方に位置する。本実施形態では、頂面１８ａは、本体部１５ａの上端面１５ｃ、及び本体部１６ａの上端面１６ｃと略同じ高さに位置する。底面１８ｂは、熱交換器１８を挟む１対の蓄電セル７（保持部材９）の底面９ｂ（第１底面及び第２底面）よりも高さ方向において上方に位置する。本実施形態では、底面１８ｂは、本体部１５ａの下端面１５ｄ、及び本体部１６ａの下端面１６ｄと略同じ高さに位置する。
【００５５】
正極バスバー４、負極バスバー５、及びカバー部材６は、各蓄電セル７（各保持部材９）の頂面９ａの上方に設けられている。つまり、熱交換器１８の上方には、正極バスバー４、負極バスバー５、及びカバー部材６が配置される。しかし、頂面１８ａが頂面９ａよりも下方に位置するので、熱交換器１８の上方には空間が形成される。また、底面１８ｂが底面９ｂよりも上方に位置するので、熱交換器１８の下方には空間が形成される。このため、貫通孔１８ｈに供給される冷却媒体の流れが良好に保たれる。
【００５６】
以上説明したように、蓄電装置１では、積層方向に沿って互いに隣り合う１対の蓄電セル７の間に正極集電板１５（又は負極集電板１６）と熱交換器１８とが設けられる。このため、１対の蓄電セル７において発生した熱を熱交換器１８によって蓄電装置１の外部に放出することができる。また、熱交換器１８は、正極集電板１５及び負極集電板１６には形成されていない。その結果、放熱性を向上させつつ、蓄電装置１の製造を容易化することが可能となる。
【００５７】
また、熱交換器１８には、冷却媒体を流通させるための貫通孔１８ｈが設けられている。このため、貫通孔１８ｈに冷却媒体を流すことで、蓄電装置１を効率的に放熱することができる。
【００５８】
また、１対の蓄電セル７（保持部材９）の頂面９ａは、熱交換器１８の頂面１８ａよりも上方に位置している。つまり、頂面１８ａは頂面９ａよりも下方に位置している。このため、正極バスバー４、負極バスバー５、及びカバー部材６と熱交換器１８の頂面１８ａとの間に空間が形成される。これにより、冷却媒体が貫通孔１８ｈに流入する空間又は貫通孔１８ｈから流出する空間を確保することができ、冷却媒体の流れを良好に保つことができる。したがって、蓄電装置１の放熱性をさらに向上させることが可能となる。
【００５９】
また、１対の蓄電セル７（保持部材９）の底面９ｂは、熱交換器１８の底面１８ｂよりも下方に位置している。つまり、底面１８ｂは底面９ｂよりも上方に位置している。このため、蓄電装置１が設置される設置面と熱交換器１８の底面１８ｂとの間に空間が形成される。これにより、冷却媒体が貫通孔１８ｈに流入する空間又は貫通孔１８ｈから流出する空間を確保することができ、冷却媒体の流れを良好に保つことができる。したがって、蓄電装置１の放熱性をさらに向上させることが可能となる。
【００６０】
正極タブ１５ｂが蓄電セル７（保持部材９）上に配置され、正極タブ１５ｂが保持部材９の頂面９ａと高さ方向において当接している。このため、正極タブ１５ｂは頂面９ａによって支持され、蓄電セル７に対する正極集電板１５の高さ方向における相対的な位置が規定される。同様に、負極タブ１６ｂが蓄電セル７（保持部材９）上に配置され、負極タブ１６ｂが保持部材９の頂面９ａと高さ方向において当接している。このため、負極タブ１６ｂは頂面９ａによって支持され、蓄電セル７に対する負極集電板１６の高さ方向における相対的な位置が規定される。
【００６１】
蓄電セル７は、突起９２を有している。突起９２に熱交換器１８の底面１８ｂを接触させるように、熱交換器１８を配置するだけで、突起９２によって熱交換器１８の高さ方向の位置が規定されるので、熱交換器１８の高さ方向における位置合わせを簡易化することができる。
【００６２】
外側面１２ａ同士が互いに対向している１対の蓄電セル７のそれぞれは、互いに異なる正極集電板１５によって正極バスバー４に電気的に接続される。このため、１対の蓄電セル７と正極バスバー４との間の導電経路における抵抗成分を低減することができる。同様に、外側面１２ｂ同士が互いに対向している１対の蓄電セル７のそれぞれは、互いに異なる負極集電板１６によって負極バスバー５に電気的に接続される。このため、１対の蓄電セル７と負極バスバー５との間の導電経路における抵抗成分を低減することができる。これにより、蓄電装置１の電池性能を向上させることが可能となる。
【００６３】
正極バスバー４は、外側面１２ａ同士が互いに対向している１対の蓄電セル７と、１対の正極集電板１５を介して電気的に接続されるので、正極バスバー４を介して１対の蓄電セル７と送受電することが可能となる。同様に、負極バスバー５は、外側面１２ｂ同士が互いに対向している１対の蓄電セル７と、１対の負極集電板１６を介して電気的に接続されるので、負極バスバー５を介して１対の蓄電セル７と送受電することが可能となる。
【００６４】
（第１変形例）
図７〜図９を参照して、第１変形例に係る蓄電装置１Ａを説明する。図７は、第１変形例に係る蓄電装置を部分的に示す平面図である。図８は、図７のＶＩＩＩ−ＶＩＩＩ線断面図である。図９は、図７のＩＸ−ＩＸ線断面図である。図７〜図９に示されるように、蓄電装置１Ａは、１対の正極集電板１５のうちの一方（正極集電板１５Ｂ）が正極タブ１５ｂを有しない点、１対の負極集電板１６のうちの一方（負極集電板１６Ｂ）が負極タブ１６ｂを有しない点、及び保持部材９がさらに複数の突起９３を備える点において、蓄電装置１と主に相違する。
【００６５】
具体的に説明すると、蓄電装置１Ａでは、１対の正極集電板１５のうち、積層方向における一方側（図７の紙面左側）の正極集電板１５Ａは、正極タブ１５ｂを有している。１対の正極集電板１５のうち、積層方向における他方側（図７の紙面右側）の正極集電板１５Ｂは、正極タブ１５ｂを有していない。１対の負極集電板１６のうち、積層方向における一方側（図７の紙面左側）の負極集電板１６Ａは、負極タブ１６ｂを有している。１対の負極集電板１６のうち、積層方向における他方側（図７の紙面右側）の負極集電板１６Ｂは、正極タブ１５ｂを有していない。このため、保持部材９の頂面９ａに正極タブ１５ｂが配置されている蓄電セル７と、保持部材９の頂面９ａに負極タブ１６ｂが配置されている蓄電セル７とが、積層方向に沿って交互に配置されている。
【００６６】
複数の突起９３は、タブを有しない集電板（正極集電板１５Ｂ又は負極集電板１６Ｂ）の高さ方向における位置を規定する。複数の突起９３のそれぞれは、枠体９１の下壁に設けられ、枠体９１の下壁から積層方向に沿って延びている。突起９３は、突起９２とは反対方向に延びている。複数の突起９３は、幅方向に沿って配列されている。正極集電板１５Ｂは、正極集電板１５Ｂが接触する外側面１２ａを有する蓄電セル７の複数の突起９３によって高さ方向において支持されている。複数の突起９３は、正極集電板１５Ｂの下端面１５ｄと接触している。負極集電板１６Ｂは、負極集電板１６Ｂが接触する外側面１２ｂを有する蓄電セル７の複数の突起９３によって高さ方向において支持されている。複数の突起９３は、負極集電板１６Ｂの下端面１６ｄと接触している。
【００６７】
蓄電装置１Ａでは、熱交換器１８は、高い熱伝導性を有するとともに、導電性を有する材料（導電性材料）によって形成されている。このような熱交換器１８の形成材料としては、例えば銅、又はアルミニウム等の金属が挙げられる。
【００６８】
蓄電装置１Ａにおいても、蓄電装置１と同様の効果が奏される。また、蓄電装置１Ａでは、正極集電板１５Ｂは、正極タブ１５ｂを有していないので、正極バスバー４に接合されない。しかしながら、正極集電板１５Ｂは、熱交換器１８及び正極集電板１５Ａを介して正極バスバー４と電気的に接続されている。つまり、正極バスバー４は、正極集電板１５Ａ、熱交換器１８、及び正極集電板１５Ｂを介して、正極集電板１５Ｂと接触する蓄電セル７と電気的に接続される。このため、正極集電板１５Ａと正極バスバー４との接合を行うだけで、１対の蓄電セル７と正極バスバー４とを電気的に接続することができるので、接合作業を簡略化することが可能となる。
【００６９】
同様に、負極集電板１６Ｂは、負極タブ１６ｂを有していないので、負極バスバー５に接合されない。しかしながら、負極集電板１６Ｂは、熱交換器１８及び負極集電板１６Ａを介して負極バスバー５と電気的に接続されている。つまり、負極バスバー５は、負極集電板１６Ａ、熱交換器１８、及び負極集電板１６Ｂを介して、負極集電板１６Ｂと接触する蓄電セル７と電気的に接続される。このため、負極集電板１６Ａと負極バスバー５との接合を行うだけで、１対の蓄電セル７と負極バスバー５とを電気的に接続することができるので、接合作業を簡略化することが可能となる。
【００７０】
（第２変形例）
図１０を参照して、第２変形例に係る蓄電装置１Ｂを説明する。図１０は、第２変形例に係る蓄電装置を示す概略斜視図である。図１０に示されるように、蓄電装置１Ｂは、台座部２０をさらに備える点において、蓄電装置１と主に相違する。
【００７１】
台座部２０は、セルスタック２（複数の蓄電セル７）が配置される部材である。台座部２０は、セルスタック２の下に設けられる。台座部２０は、蓄電装置１Ｂを設置する床面に設けられる。台座部２０は、例えば、熱交換器１８と同じ材料で形成されている。台座部２０は、セルスタック２を支持する支持面２０ａを備えている。支持面２０ａには、積層方向に沿って延びる複数（ここでは、２つ）の溝部２０ｂが形成されている。複数の溝部２０ｂは、幅方向に沿って配列されている。各溝部２０ｂは、貫通孔１８ｈの一端に連通している。溝部２０ｂの積層方向における両端は、蓄電装置１Ｂの外部に連通している。つまり、溝部２０ｂは、冷却媒体の流路として機能する。
【００７２】
蓄電装置１Ｂにおいても、蓄電装置１と同様の効果が奏される。また、蓄電装置１Ｂでは、セルスタック２の下に、溝部２０ｂが形成された台座部２０が設けられ、貫通孔１８ｈの一端と溝部２０ｂとが連通する。これにより、冷却媒体が貫通孔１８ｈに流入する空間又は貫通孔１８ｈから流出する空間を確保することができ、冷却媒体の流れを良好に保つことができる。したがって、蓄電装置１Ｂの放熱性をさらに向上させることが可能となる。
【００７３】
なお、蓄電装置１Ｂでは、台座部２０の溝部２０ｂによって冷却媒体の流路を確保することができるので、底面１８ｂは、熱交換器１８を挟む１対の蓄電セル７（保持部材９）の底面９ｂよりも高さ方向において上方に位置していなくてもよい。また、蓄電装置１Ａがさらに台座部２０を備えてもよい。
【００７４】
以上、本発明の実施形態について説明したが、本発明は上記実施形態に限定されない。
【００７５】
例えば、蓄電装置１，１Ａ，１Ｂは、高さ方向が上下方向（鉛直方向）となるように配置されているが、これに限られない。
【００７６】
上記実施形態では、１つの蓄電装置１，１Ａ，１Ｂは、正極バスバー４及び負極バスバー５を１つずつ備えているが、特にその形態には限られない。１つの蓄電装置１，１Ａ，１Ｂは、複数の正極バスバー４及び複数の負極バスバー５を備えてもよい。
【００７７】
上記実施形態では、正極バスバー４及び負極バスバー５は、セルスタック２に対して高さ方向の同じ側において幅方向に並んで配置されているが、特にその形態には限られない。正極バスバー４は、セルスタック２に対して高さ方向の一方側に配置され、負極バスバー５は、セルスタック２に対して高さ方向の他方側に配置されていてもよい。
【００７８】
上記実施形態では、正極バスバー４と正極集電板１５との接合は、溶接により行われているが、他の手法により行われてもよい。負極バスバー５と負極集電板１６との接合も同様である。
【００７９】
貫通孔１８ｈは、熱交換器１８を高さ方向に貫通していなくてもよい。例えば、貫通孔１８ｈは、熱交換器１８を幅方向に貫通していてもよい。また、貫通孔１８ｈは、一方向に延びる孔でなくてもよく、折れ曲がっていてもよい。例えば、貫通孔１８ｈの一端が底面１８ｂに設けられ、貫通孔１８ｈの他端が熱交換器１８の幅方向における側面に設けられてもよい。貫通孔１８ｈの一端が頂面１８ａに設けられ、貫通孔１８ｈの他端が熱交換器１８の幅方向における側面に設けられてもよい。
【００８０】
熱交換器１８は、伝熱シートであってもよい。この場合、熱交換器１８には、貫通孔１８ｈが設けられていなくてもよい。
【００８１】
上記実施形態では、熱交換器１８を挟持する１対の正極集電板１５は、別体であるが、一体化されていてもよい。例えば、１対の正極集電板１５は、正極タブ１５ｂが他方の正極集電板１５に向かって延びるように配置され、正極タブ１５ｂ同士が連結されていてもよい。この構成では、１対の正極集電板１５と正極バスバー４との接合を１箇所で行うだけで、１対の蓄電セル７と正極バスバー４とを電気的に接続することができるので、接合作業を簡略化することが可能となる。
【００８２】
同様に、熱交換器１８を挟持する１対の負極集電板１６は、一体化されていてもよい。例えば、１対の負極集電板１６は、負極タブ１６ｂが他方の負極集電板１６に向かって延びるように配置され、負極タブ１６ｂ同士が連結されていてもよい。この構成では、１対の負極集電板１６と負極バスバー５との接合を１箇所で行うだけで、１対の蓄電セル７と負極バスバー５とを電気的に接続することができるので、接合作業を簡略化することが可能となる。
【００８３】
熱交換器１８は、外側面１２ａ同士が互いに対向している１対の蓄電セル７の間、及び外側面１２ｂ同士が互いに対向している１対の蓄電セル７の間のいずれか一方にのみ設けられてもよい。つまり、熱交換器１８は、１対の正極集電板１５の間、及び１対の負極集電板１６の間のいずれか一方にのみ設けられてもよい。熱交換器１８が設けられない１対の蓄電セル７（第１蓄電セル、第３蓄電セル）間には、正極集電板１５又は負極集電板１６の１つの集電板（第３集電板）のみが設けられてもよい。つまり、この集電板は、１対の蓄電セル７と接触している。これにより、セルスタック２（蓄電装置１，１Ａ，１Ｂ）の積層方向における長さを小さくすることができ、蓄電装置１，１Ａ，１Ｂを小型化することが可能となる。
【００８４】
熱交換器１８の貫通孔１８ｈに空気等の冷却媒体を流通させると、熱交換器１８の頂面１８ａ及び底面１８ｂには異物が堆積し、異物がカバー部材６等と接触するおそれがある。異物が導電性を有している場合、カバー部材６及びエンドプレート３は、異物を介して熱交換器１８と導通（短絡）するので、カバー部材６及びエンドプレート３の電位は、熱交換器１８と接触している集電板の電位と略等しくなる。ここで、負極（負極集電板１６）の電位は、正極（正極集電板１５）の電位よりも低く、例えば０Ｖである。このため、熱交換器１８が１対の負極集電板１６の間のみに設けられた場合には、異物を介して熱交換器１８とカバー部材６及びエンドプレート３とが短絡したとしても、カバー部材６及びエンドプレート３の電位が高くなることを抑制することができる。その結果、蓄電装置１，１Ａ，１Ｂの安全性を高めることが可能となる。
【００８５】
蓄電装置１，１Ａ，１Ｂは、正極バスバー４に設けられた熱交換器をさらに備えてもよい。蓄電装置１，１Ａ，１Ｂは、負極バスバー５に設けられた熱交換器をさらに備えてもよい。
【００８６】
熱交換器１８の高さ方向における位置を規定する方法は、突起９２による支持に限られない。例えば、隣り合う集電板（正極集電板１５又は負極集電板１６）に合わせて熱交換器１８を配置することで、熱交換器１８の高さ方向の位置を規定することができる。具体的に説明すると、集電板（正極集電板１５又は負極集電板１６）に対して熱交換器１８を位置合わせした状態で、接着剤等を用いて集電板に熱交換器１８を接合し、熱交換器１８が接合された集電板を蓄電セル７に組み付けることによって、熱交換器１８の高さ方向における位置が規定されてもよい。熱交換器１８が接合された集電板を蓄電セル７に組み付けると、タブ（正極タブ１５ｂ又は負極タブ１６ｂ）によって蓄電セル７に対する集電板の高さ方向における相対的な位置が規定され、熱交換器１８の高さ方向の位置も規定される。熱交換器１８の頂面１８ａが、本体部１５ａの上端面１５ｃ、及び本体部１６ａの上端面１６ｃと略同じ高さに位置する場合には、集電板の組み付けによって、１対の蓄電セル７（保持部材９）の頂面９ａを、熱交換器１８の頂面１８ａよりも上方に位置させることができる。また、底面１８ｂが、本体部１５ａの下端面１５ｄ、及び本体部１６ａの下端面１６ｄと略同じ高さに位置する場合には、集電板の組み付けによって、１対の蓄電セル７（保持部材９）の底面９ｂを、熱交換器１８の底面１８ｂよりも下方に位置させることができる。この場合、保持部材９は突起９２を備えていなくてもよい。
【００８７】
蓄電装置１Ａにおいて、正極集電板１５Ｂ及び負極集電板１６Ｂの高さ方向における位置を規定する方法は、突起９３による支持に限られない。例えば、接着剤等を用いて正極集電板１５Ｂ及び負極集電板１６Ｂを蓄電セル７に接合することによって、正極集電板１５Ｂ及び負極集電板１６Ｂの高さ方向における位置が規定されてもよい。この場合、保持部材９は突起９３を備えていなくてもよい。
【００８８】
蓄電装置１Ａにおいて、１対の蓄電セル７のうちのいずれの蓄電セル７が、他方の蓄電セル７に向かって延びる突起９２，９３を備えていてもよい。突起９２は、タブを有しない集電板（正極集電板１５Ｂ又は負極集電板１６Ｂ）と接触する蓄電セル７が備えていてもよく、突起９３は、タブを有する集電板（正極集電板１５Ａ又は負極集電板１６Ａ）と接触する蓄電セル７が備えていてもよい。つまり、突起９２と突起９３とは、互いに入れ替えられてもよい。この場合、複数の突起９２は、熱交換器１８及びタブを有しない集電板（正極集電板１５Ｂ又は負極集電板１６Ｂ）の高さ方向における位置を規定する。複数の突起９３は、タブを有する集電板（正極集電板１５Ａ又は負極集電板１６Ａ）の高さ方向における位置を規定する。
【００８９】
熱交換器１８には複数の貫通孔１８ｈが設けられているので、熱交換器１８の両側面（積層方向と交差する面）には凹凸が生じることがある。この熱交換器１８の凹凸形状により、電極積層体８の外側面１２ａ，１２ｂに加わる拘束荷重が不均一となり、リチウムが析出するおそれがある。このため、正極集電板１５の厚さ（積層方向における長さ）は、集電体１２の厚さ（積層方向における長さ）よりも大きくてもよい。具体的には、本体部１５ａの厚さ（積層方向における長さ）は、集電体１２の厚さよりも大きくてもよい。同様に、負極集電板１６の厚さ（積層方向における長さ）は、集電体１２の厚さよりも大きくてもよい。具体的には、本体部１６ａの厚さ（積層方向における長さ）は、集電体１２の厚さよりも大きくてもよい。この構成によれば、熱交換器１８の両側面が凹凸形状を有していたとしても、正極集電板１５又は負極集電板１６の外側面１２ａ，１２ｂと接触する面は平坦となるので、熱交換器１８の凹凸形状による電極積層体８への影響を低減することが可能となる。
【００９０】
各蓄電セル７の電極積層体８は、個別に保持部材９によって保持されているが、図１１〜図１３に示されるように、セルスタック２に含まれる複数の電極積層体８が、１つの保持部材９０によって一括で保持されていてもよい。つまり、複数の蓄電セル７の保持部材９が一体化されており、保持部材９０を構成していてもよい。この場合、保持部材９０は、幅方向において、セルスタック２の全面を覆っている。つまり、保持部材９０は、幅方向において、電極積層体８だけでなく、正極集電板１５、負極集電板１６、及び熱交換器１８を覆っている。保持部材９０は、高さ方向において、電極積層体８だけでなく、正極集電板１５（上端面１５ｃ及び下端面１５ｄ）、及び負極集電板１６（上端面１６ｃ及び下端面１６ｄ）を覆っている。なお、正極タブ１５ｂ及び負極タブ１６ｂは、保持部材９０に覆われておらず、保持部材９０の頂面９０ａ上に配置されている。
【００９１】
熱交換器１８の頂面１８ａ及び底面１８ｂは、保持部材９０に覆われておらず、保持部材９０から露出している。図１１〜図１３に示される例では、頂面１８ａは、保持部材９０の頂面９０ａと同一面に位置し、底面１８ｂは、保持部材９０の底面９０ｂと同一面に位置する。このような構造においても、頂面１８ａ及び底面１８ｂが保持部材９０から露出しているので、外部から冷却媒体を容易に供給することが可能となる。なお、図１１〜図１３では、蓄電装置１Ａの変形例を図示しているが、蓄電装置１，１Ｂにも同様の構成が適用されてもよい。
【００９２】
蓄電装置１，１Ａ，１Ｂ及びそれらの変形例は、適宜組み合わせられてもよい。
【符号の説明】
【００９３】
１，１Ａ，１Ｂ…蓄電装置、４…正極バスバー（バスバー）、５…負極バスバー（バスバー）、７…蓄電セル（第１蓄電セル、第２蓄電セル、第３蓄電セル）、９…保持部材、９ａ…頂面（第１頂面、第２頂面）、９ｂ…底面（第１底面、第２底面）、１０…バイポーラ電極、１２…集電体、１２ａ…外側面（第１面）、１２ｂ…外側面（第１面）、１３…正極層、１４…負極層、１５…正極集電板（第１集電板、第２集電板、第３集電板）、１５Ａ…正極集電板（第１集電板）、１５Ｂ…正極集電板（第２集電板）、１５ａ…本体部（第１本体部）、１５ｂ…正極タブ（第１タブ）、１６…負極集電板（第１集電板、第２集電板、第３集電板）、１６Ａ…負極集電板（第１集電板）、１６Ｂ…負極集電板（第２集電板）、１６ａ…本体部（第１本体部）、１６ｂ…負極タブ（第１タブ）、１８…熱交換器、１８ａ…頂面（第３頂面）、１８ｂ…底面（第３底面）、１８ｈ…貫通孔、２０…台座部、２０ｂ…溝部（流路）、９０…保持部材、９２…突起（規定部）。
【図１】
2019194966.tif 000003
【図２】
2019194966.tif 000004
【図３】
2019194966.tif 000005
【図４】
2019194966.tif 000006
【図５】
2019194966.tif 000007
【図６】
2019194966.tif 000008
【図７】
2019194966.tif 000009
【図８】
2019194966.tif 000010
【図９】
2019194966.tif 000011
【図１０】
2019194966.tif 000012
【図１１】
2019194966.tif 000013
【図１２】
2019194966.tif 000014
【図１３】
2019194966.tif 000015